(57)【要約】随時自由に選択可能な双眼鏡接眼レンズの観察ビーム経路の放射の一部をアウトカップリングする装置。本解決策により、双眼鏡接眼レンズを有する光学機器の記録または共同観察に使用されるビーム経路は、随時自由に選択可能かつ変更可能である。アウトカップリングのために、回転可能な支持ユニットが双眼鏡接眼レンズを有するハウジング内に配置され、回転可能な支持ユニットの回転軸が観察ビーム経路の軸と平行である。３つの光学要素がこの支持ユニット上に配置され、外側の光学要素および中央の光学要素、および支持ユニットの回転後、中央の光学要素および他の外側の光学要素がそれぞれ観察ビーム経路の１つに配置される。ここでは、２つの外側の光学要素はビーム分割効果を有し、かつ観察放射の一部を共通の記録ビーム経路にアウトカップリングする。この解決策は、原則として、随時自由に選択可能な双眼鏡の接眼レンズの観察ビーム経路の放射の一部をアウトカップリングすることが必要または所望とされるすべての用途に使用可能である。
2020535485.tif 000002
【特許請求の範囲】
【請求項１】
随時自由に選択可能な双眼鏡接眼レンズの観察ビーム経路の放射の一部をアウトカップリングするための装置であって、回転軸が観察ビーム経路の軸に平行である回転可能な支持ユニットが、双眼鏡接眼レンズを有するハウジングに配置され、３つの光学要素が前記支持ユニット上にオフセットして配置され、外側の光学要素および中央の光学要素はそれぞれ、観察ビーム経路のうちの一つに配置され、前記支持ユニットの回転後、前記中央の光学要素および他の外側の光学要素はそれぞれ観察ビーム経路のうちの一つに配置され、２つの前記外側の光学要素は、それらが観察ビーム経路のうちの一つに配置されている場合に、観察放射の一部が共通の記録ビーム経路にアウトカップリングされるように、ビーム分割効果を有し、かつ前記支持ユニット上に配置されていることを特徴とする装置。
【請求項２】
前記３つの光学要素がオフセットして配置され、前記回転可能な支持ユニットが、＋／−９０°の回転範囲を有し、かつその終端位置に当接位置またはラッチ位置を有することを特徴とする請求項１に記載の装置。
【請求項３】
歯車を有するか、または有していない作動要素が、前記回転可能な支持ユニットに配置されていることを特徴とする、請求項１または２に記載の装置。
【請求項４】
前記回転可能な支持ユニットに配置された電動式駆動装置に接続されたスイッチの形態の作動要素が設けられていることを特徴とする、請求項１または２に記載の装置。
【請求項５】
前記回転可能な支持ユニットの動作機構が双安定となるように具体化されていることを特徴とする、請求項１または２に記載の装置。
【請求項６】
前記支持ユニットがプレートであることを特徴とする、請求項１乃至５のいずれか１項に記載の装置。
【請求項７】
ビームスプリッタキューブまたは平行平面板がビーム分割効果を有する光学要素として使用されることを特徴とする請求項１に記載の装置。
【請求項８】
ビーム分割効果を有する光学要素が、観察放射の一部を共通の記録ビーム経路にアウトカップリングし、アウトカップリングされる放射の割合は最大８０％、好ましくは最大５０％であることを特徴とする、請求項１または２に記載の装置。
【請求項９】
前記共通の記録ビーム経路が、前記観察ビーム経路と９０°の角度をなすことを特徴とする、請求項１乃至８のいずれか１項に記載の装置。
【請求項１０】
前記共通の記録ビーム経路が、画像データを記録するためのカメラを有することを特徴とする、請求項１に記載の装置。
【請求項１１】
２つの前記外側の光学要素の間に配置された前記中央の光学部品が光学的効果を有していないことを特徴とする請求項１に記載の装置。
【請求項１２】
２つの前記外側の光学要素の間に配置された前記中央の光学部品がビーム減衰効果を有することを特徴とする請求項１に記載の装置。
【請求項１３】
前記共通の記録ビーム経路の反対側に、データ、画像または情報をインカップリングするためのディスプレイが設けられていることを特徴とする、請求項１または２に記載の装置。
【請求項１４】
前記観察ビーム経路にそれぞれ配置されたビーム分割効果を有する光学要素が、データ、画像または情報をインカップリングするために使用されることを特徴とする、請求項１乃至１３のいずれか１項に記載の装置。
【請求項１５】
スペクトル依存型フィルタが、前記観察ビーム経路および／または前記記録ビーム経路に配置され、かつビーム経路に選択的に挿入可能であることを特徴とする、請求項１に記載の装置。
【請求項１６】
スペクトル依存型フィルタが、電動式駆動装置を有するフィルタホイールまたは同様のものの上に配置されていることを特徴とする、請求項１または２に記載の装置。
【請求項１７】
固定絞りおよび／または可変絞りが、前記観察ビーム経路および／または前記記録ビーム経路に配置され、かつビーム経路に選択的に挿入可能であることを特徴とする、請求項１に記載の装置。
【請求項１８】
固定絞りおよび／または可変絞りが、電動式駆動装置を有するホイールまたは同様のものの上に配置されていることを特徴とする、請求項１または２に記載の装置。
【請求項１９】
３つの光学部品が、対応する必要な光学的に有効な表面を有する一体型ブロックとして具体化されることを特徴とする、請求項１に記載の装置。
【発明の詳細な説明】
【技術分野】
【０００１】
本発明は、双眼鏡接眼レンズを有する光学機器の写真記録または共同観察装置に使用されるビーム経路を、構造的な変化を必要とせずに、随時自由に選択し、かつ変更することができる技術的解決策に関する。
【背景技術】
【０００２】
例えば、拡大ステージまたは照明変形のための変更装置に関連する多数の解決策が先行技術から利用可能であるが、双眼鏡接眼レンズを有する光学機器の記録のために使用される観察ビーム経路を選択する解決策は、広く知られていない。
【０００３】
このために、特許文献１には、顕微鏡用の双眼鏡筒が記載されており、双眼鏡筒の上面には、カメラなどの追加の器具を取り付けるためのネックが設けられている。部分的に透過性の鏡面を有する偏向プリズムによって、主ビーム経路はネックの方向と双眼鏡筒の方向とに分割される。従って、この解決策では、検出ビーム経路は、観察ビーム経路からアウトカップリングされるのではなく、既に以前に主ビーム経路からアウトカップリングされている。このため、光学ユニットおよびトリプルミラーが設けられている。
【０００４】
顕微鏡筒の操作タイプを観察位置、記録位置、および同時観察記録位置の間で切り替えるための変更装置が、特許文献２により既知である。このために、３つの光学要素、即ち、全反射する第１の要素、部分的に透過性の第２の要素、および第３の光学要素として光路長を補償する補償要素が設けられている。第１および第２の要素は、互いに変位可能に配置された別個のガイドキャリッジに固定されている。所望の操作位置に応じて、光学要素は、ガイドロッドに沿って直線的に変位することにより、ビーム経路内外に駆動される。
【０００５】
どちらの解決策も、アウトカップリングに使用する観察ビーム経路を選択することができず、使用する観察ビーム経路を変更するようにもなっていない。
しかしながら、立体観察機器の記録に使用されるコンポーネントの多くは、２つの観察ビーム経路のうちの１つを使用している。この構成によれば、２つの観察ビーム経路間を切り替えることができないように、観察ビーム経路が機械的に設定される。後者は、この固定の特定のチャネルがユーザの優位眼に対応しない場合、この眼の視覚的な印象が観察者の主観的なビューを決定するため、不利である。対応しない場合、ユーザは、記録された画像の印象が視覚的に知覚されるものに対応しないという印象を持つ。
【０００６】
ここに組み込まれたコンポーネントのいくつかは、システム内の異なる統合、例えば、観察ビーム経路に対して０°または１８０°の統合を可能にし、その結果、セットアップのこの段階で、２つの観察ビーム経路のいずれをアウトカップリングに使用するかを決定することができる。この段階でシステムを個人の要求に一致させることは確かに可能であるが、この決定の後、セットアップは、再度事前に決定され、再度再構築しないと変更することができない。
【０００７】
実体顕微鏡における光学要素用の交換装置は、特許文献３に記載されている。この回転可能な変更装置を用いると、１対の光学要素がそれぞれ実体顕微鏡の両方の観察ビーム経路に挿入可能であり、各対の要素の間隔はステレオチャネルのステレオ基準に対応する。この発明によれば、複数の光学要素が、変更装置の中心の周りに互いに隣接して円形に配置されており、変更装置の中心は、変更装置上のステレオチャネルのステレオ基準に関して横方向に変位されている。従って、５つの光学要素の配置により、例えば、「立体観察」、「５０％立体観察および５０％記録」、「１００％記録及び単一チャネル観察」のように記載することができる３つの作業位置を設定することができる。ここで提案される解決策では、記録のためにアウトカップリングを変更（５０％または１００％）したり、オフに切り替えたりする可能性があるが、アウトカップリングに使用する観察ビーム経路の選択は提供されていない。さらに、ここで提案された切り替えにはかなりの構造空間が必要であり、これは、光学設計や機械構造に利用できる構造空間を制限する。これは、システム全体の改良容積の増加につながり、これは、そのようなシステムの使い勝手に悪影響を与える。
【０００８】
単純な作動機構の形でのユーザによる２つの観察ビーム経路間の切り替えは、既知の解決策のいずれによっても提供されていない。
【先行技術文献】
【特許文献】
【０００９】
【特許文献１】独国特許出願公開第２６３１１１８号明細書
【特許文献２】独国特許出願公開第１９６２２３５７号明細書
【特許文献３】独国特許発明第１０３５６１５４号明細書
【発明の概要】
【００１０】
本発明は、双眼鏡接眼レンズを有する光学機器の写真記録または他の同様のアウトカップリングに使用されるビーム経路を、構造的な変更を必要とすることなく、随時自由に選択または変更することを可能にする技術的解決策を開発する問題に対処する。選択は簡単で、かつ双眼鏡接眼レンズを通して観察しながらも可能である必要がある。
【００１１】
この問題は、随時自由に選択可能な双眼鏡接眼レンズの観察ビーム経路の放射の一部をアウトカップリングするための提案された装置によって解決され、回転軸が観察ビーム経路の軸に平行である回転可能な支持ユニットが、双眼鏡接眼レンズを有するハウジングに配置され、３つの光学要素が支持ユニット上にオフセットして配置され、外側の光学要素および中央の光学要素はそれぞれ、観察ビーム経路のうちの一つに配置され、支持ユニットの回転後、中央の光学要素および他の外側の光学要素はそれぞれ観察ビーム経路のうちの一つに配置され、２つの外側の光学要素は、それらが観察ビーム経路のうちの一つに配置されている場合に、観察放射の一部が共通の記録ビーム経路にアウトカップリングされるように、ビーム分割効果を有し、かつ支持ユニット上に配置されている。
【００１２】
本発明によれば、問題は独立請求項の特徴によって解決されるが、好ましい展開および実施形態は従属請求項の主題である。
本発明によれば、アウトカップリングに使用される観察ビーム経路は、支持ユニットを回転させることによって変更され、その回転は機械的であるか、または電動式とすることができる。
【００１３】
ビーム分割効果を有する光学要素は、観察放射の一部を共通の記録ビーム経路にアウトカップリングし、アウトカップリングされる放射の割合は、最大８０％、好ましくは最大５０％である。
【００１４】
本発明によれば、回転可能な支持ユニット上に配置された光学要素は、共通の検出ビーム経路の反対側に配置された追加のディスプレイによってデータをインカップリングするためにも使用することができる。インカップリングおよびアウトカップリングは、ここでは互いに独立して行われるが、組み合わせることもできる。
【００１５】
さらに、提案された装置は、観察ビーム経路および／または記録ビーム経路にそれぞれ配置され、個々のビーム経路に選択的に挿入可能な、スペクトル依存型フィルタおよび／または固定絞りまたは可変絞りを追加することができる。
【００１６】
提案された技術的解決策は、特に、双眼鏡接眼レンズの自由に選択可能な観察ビーム経路から記録ビーム経路に画像データをアウトカップリングするために提供される。しかしながら、本発明による装置は、観察用ビーム経路の１つのビーム分割が必要であり、かつアウトカップリングに使用される観察用ビーム経路が可変でなければならない双眼鏡接眼レンズを有する全ての光学系に適している。
【図面の簡単な説明】
【００１７】
【図１】双眼鏡接眼レンズの左側の観察ビーム経路からのアウトカップリングのための解決策の概略図を示す図である。
【図２】双眼鏡接眼レンズの右側の観察ビーム経路からのアウトカップリングのための解決策の概略図を示す図である。
【図３】双眼鏡接眼レンズの左側の観察ビーム経路からのアウトカップリングおよび左側の観察ビーム経路へのインカップリングのための解決策の概略図を示す図である。
【発明を実施するための形態】
【００１８】
本発明を、例示的な実施形態に基づいて以下により詳細に説明する。この点において、提案されている装置は、随時自由に選択可能な双眼鏡接眼レンズの観察ビーム経路の放射の一部をアウトカップリングする。
【００１９】
本発明によれば、このために、回転可能な支持ユニットが、双眼鏡接眼レンズを有するハウジング内に配置され、回転可能な支持ユニットの回転軸が観察ビーム経路の軸と平行である。例えば、プレートとして具体化されたこの支持ユニット上には、３つの光学要素がオフセットして配置されている。外側および中央の光学要素はそれぞれ、観察ビーム経路のうちの一つに配置され、支持ユニットの回転後、中央および他の外側の光学要素はそれぞれ観察ビーム経路のうちの一つに配置される。ここで、２つの外側の光学要素は、それらが観察ビーム経路のうちの一つに配置されている場合に、観察放射の一部が共通の記録ビームにアウトカップリングされるように、ビーム分割効果を有し、かつ支持ユニット上に配置されている。
【００２０】
本発明によれば、プレートを回転させることにより選択された観察ビーム経路にビーム分割光学要素を旋回させ、他の観察ビーム経路に光学効果のない光学要素を旋回させることにより、記録ビーム経路をアウトカップリングするために２つの観察ビーム経路のうちの一つを簡単かつ迅速に選択することが可能である。
【００２１】
第１の有利な実施形態は、例えば、プレートとして具体化された回転可能な支持ユニットに関するものであり、支持ユニットの外縁部には、３つの光学要素が９０°オフセットされて配置されている。ここで、外側および中央の光学要素は、それぞれ観察ビーム経路のうちの一つに配置され、プレートを９０°回転させた後、中央および他の外側の光学要素は、それぞれ観察ビーム経路のうちの一つに配置される。
【００２２】
従って、これにより、回転可能なプレートの回転範囲は＋／−９０°となる。回転可能なプレートは、その終端位置において、当接位置またはラッチ位置を有する。ここで、２つの終端位置は、操作者に触覚的に明確に認識可能である必要がある。
【００２３】
スイッチ機構は、初期の移動の後、回転可能なプレートがそれ自体で２つの（安定した）終端位置のうちの１つに移動するように、即ち、調整範囲が双安定に設計されるように、有利な方法で具体化することができる。
【００２４】
プレートは３つの光学要素によってのみ占有されるので、好ましくは、円形のプレートの占有されていない表面を切り落とすことができ、それによって、必要な構造空間の実質的な減少を可能にする。
【００２５】
回転範囲が＋／−９０°と小さいので、手動回転が可能になる。このために、回転可能なプレートに直接的または間接的に係合するレバーの形態の作動要素が設けられる。レバーと回転可能なプレートとの間の間接的な接続として、チェーン、ケーブル、またはプッシュロッドが考えられる。ここで、どの観察ビーム経路が現在そこからアウトカップリングされているかは、レバーの位置によって認識可能である。
【００２６】
好ましい変形形態によれば、回転可能なプレートに配置された電動式駆動装置に接続されたスイッチの形態の作動要素が設けられる。
第一に、これには、人間工学的に好ましいポイントにスイッチを配置することができるという利点がある。第二に、２つのアウトカップリングの変動間の切り替えが十分に迅速に行われる場合、これは、試験対象物の立体記録を生成する可能性がある。このために、両方の観察ビーム経路から連続的にアウトカップリングされた画像データがデータ記憶装置に記録およびファイリングされ、各画像は、一対の立体画像の一部としてマーク付けされる。この変形形態では、どの観察ビーム経路が現在アウトカップリングされているかを認識可能であることも好ましい。この場合、これは、スイッチまたは別のディスプレイの位置によって行わせることができる。
【００２７】
第２の有利な実施形態は、ビームスプリッタキューブとして具体化され、かつガラス、プラスチック、または別の光学的に透明な材料から構成され得る、ビーム分割効果を有する要素に関する。
【００２８】
別の実施形態の変形形態では、ビーム分割効果を有する要素は、平行平面板として具体化される。
この場合、ビームのミスアライメントがないため、好ましくは、この実施形態は、ビームスプリッタキューブである。しかしながら、非常に重要な応用では、アウトカップリングに使用されない観察ビーム経路において光学効果のない光学要素を使用することが絶対に必要である。
【００２９】
光学系全体でのビームのミスアライメントが許容できる場合は、平行平面板の使用が可能である。
それらの実施形態の変形形態とは無関係に、観察ビーム経路から共通の記録ビーム経路にアウトカップリングされる放射の割合は、最大で８０％、好ましくは最大で５０％である。
【００３０】
特に有利な実施形態によれば、共通の記録ビーム経路は、観察ビーム経路と９０°の角度を成す。
共通の記録ビーム経路は、好ましくは、画像データを記録するためのカメラを有し、記録ビーム経路は、技術的および／または人間工学的理由により、１つまたは複数のミラー要素によってさらに曲げられ、かつさらなる光学要素を含み得る。
【００３１】
第３の有利な実施形態は、２つの外側の光学要素の間に配置された、光学的効果のない中央の光学コンポーネントに関する。
光学効果のないこの光学要素は、２つの観察ビーム経路間の異なる光路長を独占的に補償する。
【００３２】
好ましくは、ビーム分割効果を有する要素に対応する方法で、この光学要素は、キューブまたは平行平面板として具体化される。
平行平面板としての実施形態の場合、光学効果のない光学要素も、平行平面板として具体化されるか、または関連する品質の低下を考慮して、省略される可能性がある。
【００３３】
特に有利な一変形形態では、２つの外側の光学要素の間に配置された中央の光学コンポーネントは、ビーム減衰効果を有する。
そのため、両方の観察ビーム経路の光学像の印象を互いに一致させることが可能である。ここで、減衰は、アウトカップリングの割合比率に正確に対応する必要はないが、明るさの視覚的印象には比較的大きな許容範囲があるため、より小さくすることも、より大きくすることもできる。
【００３４】
このために、図１は、双眼鏡接眼レンズの左側の観察ビーム経路からの画像データをアウトカップリングするための解決策の概略図を示している。
この場合、図１の上図は、光学観察軸に垂直な断面図を示している。
【００３５】
本発明による装置において、双眼鏡接眼レンズ（図示せず）を有するハウジング１内に配置されているのは、回転可能なプレート４であり、プレート４の回転軸５は、双眼鏡接眼レンズの２つの観察ビーム経路２および３の軸に平行である。この場合、プレート４の可能な回転運動は、矢印６で示されている。３つのガラスキューブ７、８および９は、プレート４上にオフセットして配置され、ガラスキューブ７および９は、それぞれ観察ビーム経路２および３のうちの一つに配置される。
【００３６】
観察ビーム経路２に配置されたガラスキューブ７は、ビームスプリッタキューブとして具体化され、観察ビーム経路２の放射の一部を共通の記録ビーム経路１０にアウトカップリングする。観察ビーム経路３に配置されたガラスキューブ９は、光学的効果を有していない。
【００３７】
図１の下図は、観察ビーム経路によって広がる平面に対して上方から垂直に見たアウトカップリングの概略図を示している。
観察ビーム経路２の放射２‘の一部は、観察ビーム経路２に配置されたビームスプリッタキューブ７によって、記録ビーム１０‘として記録ビーム経路１０にアウトカップリングされる。ビームスプリッタキューブ７は、放射１０‘が左に９０°の角度で記録ビーム経路１０にアウトカップリングされるように、プレート４に配置されている。観察ビーム経路３の放射３‘は、観察ビーム経路３に配置されたガラスキューブ９による影響を受けない。放射２‘、３‘、および１０‘の図に使用されている矢印の太さは、エネルギーフラックスを同時に例示的に示している。
【００３８】
図１とは対照的に、図２は、左からの観察ビーム経路からではなく、双眼鏡接眼レンズの右からの観察ビーム経路からの画像データのアウトカップリングの解決策の概略図を示している。
【００３９】
このために、プレート４は反時計回りに９０°回転されている。この回転によって、
・ビームスプリッタキューブ７が、観察ビーム経路２の外に旋回され、
・ガラスキューブ９が、観察ビーム経路３から観察ビーム経路２に旋回され、
・ビームスプリッタキューブ８が、観察ビーム経路３に旋回される。
【００４０】
図２の上図は、光学観察軸に沿った断面図を示している。
本発明による装置において、双眼鏡接眼レンズ（図示せず）を有するハウジング１内に配置されているのは、回転可能なプレート４であり、プレート４の回転軸５は、双眼鏡接眼レンズの２つの観察ビーム経路２および３の軸に平行である。この場合、プレート４の可能な回転運動は、矢印６で示されている。３つのガラスキューブ７、８および９は、プレート４上にオフセットして配置され、ガラスキューブ８および９は、それぞれ観察ビーム経路２および３のうちの一つに配置される。
【００４１】
観察ビーム経路２に配置されたガラスキューブ９は光学的効果を有さないが、観察ビーム経路３に配置されたガラスキューブ８は、ビームスプリッタキューブとして具体化され、かつ観察ビーム経路３の放射の一部を共通の記録ビーム経路１０にアウトカップリングする。
【００４２】
図２の下図は、観察ビーム経路によって広がる平面に対して上方から垂直に見たアウトカップリングの概略図を示している。
観察ビーム経路３の放射３‘の一部は、観察ビーム経路３に配置されたビームスプリッタキューブ８によって、記録ビーム１０‘として記録ビーム経路１０にアウトカップリングされる。ビームスプリッタキューブ８は、放射１０‘が左に同様に９０°の角度で記録ビーム経路１０にアウトカップリングされるように、プレート４に配置されている。観察ビーム経路２の放射２‘は、観察ビーム経路２に配置されたガラスキューブ９による影響を受けない。放射２‘、３‘、および１０‘の図に使用されている矢印の太さは、ここでもエネルギーフラックスを同時に例示的に示している。
【００４３】
光路は一般に可逆的であるため、記載されているすべてのアウトカップリングの変形形態では、情報を光学系にインカップリングするために使用することもできる。
装置を専用で使用する場合、光エネルギーが観察者に向かって偏向されるようにビームスプリッタを１８０°回転させる必要がある。
【００４４】
さらに、第４の有利な実施形態によれば、データ、画像、または情報をインカップリングするためのディスプレイが、共通の記録ビーム経路の反対側に追加で配置される。インカップリングおよびアウトカップリングは、ここでは互いに独立して行われるが、組み合わせることもできる。
【００４５】
この変形形態では、観察ビーム経路にそれぞれ配置され、かつ記録放射のアウトカップリングを実現するビーム分割効果を有する光学要素が、データ、画像、または情報のインカップリングに使用されることが特に有利である。
【００４６】
このディスプレイにより、任意の所望の情報を観察ビーム経路の１つに供給することができる。
光エネルギーの一部のみがビームスプリッタによって観察者の方向に偏向され、残りの部分はビーム分割要素を結像方向に通過するため、記録ビーム経路において画像データを記録している間、情報の供給が一時的にオフされていることが認識可能であり、ここで、スイッチオフは画像記録と同期させることができる。これにより、記録すべき画像への供給された情報の可能性のある重畳が防止される。
【００４７】
さらに、例えば、どの観察ビーム経路が現在アウトカップリングされており、どの観察ビーム経路に供給されているかを、ディスプレイによって示すことができる。これは、観察ビーム経路間の切り替えが電動式であり、位置がこの情報を示すレバーが設けられていれば、常に認識可能である。
【００４８】
この点に関して、図３は、双眼鏡接眼レンズの左側の観察ビーム経路からのアウトカップリング／左側の観察ビーム経路へのフィードインのための本発明の解決策の概略図を示す。
【００４９】
アウトカップリングおよびフィードインの概略図は、図１および図２の下図に対応している。この図では、視線は、観察ビーム経路によって広がる平面上に上方から垂直に向けられている。
【００５０】
観察ビーム経路２の放射２‘の一部は、観察ビーム経路２に配置されたビームスプリッタキューブ７によって、記録ビーム１０‘として記録ビーム経路１０にアウトカップリングされる。ビームスプリッタキューブ７は、放射１０‘が左に９０°の角度で記録ビーム経路１０にアウトカップリングされるように、プレート４に配置されている。観察ビーム経路３の放射３‘は、観察ビーム経路３に配置されたガラスキューブ９による影響を受けない。
【００５１】
ディスプレイ１１によって生成された情報は、ビームスプリッタキューブ７によって、放射１１‘として観察ビーム経路２に供給される。この場合、ビームスプリッタキューブ７のスプリッタ層は、観察ビーム経路２からの放射２‘のアウトカップリング、および観察ビーム経路２への放射１１‘の供給の両方を行う。
【００５２】
ディスプレイ１１によって生成された放射１１‘はまた、観察ビーム経路３に配置されたガラスキューブ９による影響を受けない。
放射２‘、３‘、１０‘、１１‘の説明に使用されている矢印の太さは、ここでもエネルギーフラックスを同時に例示的に示している。観察ビーム経路２に供給される放射１１‘は、破線として示されている。
【００５３】
図３に示す本発明の解決策の概略図は、双眼鏡接眼レンズの右側の観察ビーム経路からのアウトカップリング／右側の観察ビーム経路へのフィードインにも同様に当てはまる。アウトカップリングおよびフィードインは、観察ビーム経路３から、かつ観察ビーム経路３に生じるので、これらの機能は、ビームスプリッタキューブ８のスプリッタ層によって行われる。
【００５４】
さらなる有利な実施形態によれば、双眼鏡接眼レンズの選択可能な観察ビーム経路から画像データをアウトカップリングするための本発明の装置は、観察ビーム経路に配置され、かつ／または記録ビーム経路に配置され、ビーム経路に選択的に挿入可能なスペクトル依存型フィルタを追加することができる。スペクトル依存型フィルタは、このために、電動式駆動装置を有するフィルタホイールまたは同様のものの上に好ましくは配置される。
【００５５】
スペクトル依存型フィルタを使用して、波長固有の観察状況を生成し、関連する画像記録を記録することができる。この場合、記録ビーム経路では観察ビーム経路とは異なるスペクトル特性を生成することも可能である。スペクトル依存型フィルタの電動式調整による擬似マルチスペクトル、即ち連続的な記録を実現することも可能である。
【００５６】
さらに、本発明の装置は、同様に観察ビーム経路および／または記録ビーム経路に配置され、かつ選択的にビーム経路に挿入可能な固定絞りおよび／または可変絞りを追加することができる。固定絞りおよび／または可変絞りはまた、好ましくは、電動式駆動装置を有するホイールまたは同様のものの上に配置される。
【００５７】
この場合、固定の段階的に調整可能な直径または連続的に調整可能な虹彩絞りの両方が絞りとして提供され、それによって、観察状況および関連する記録の被写界深度を変化させることができる。
【００５８】
絞りが記録ビーム経路にのみ配置されている場合、被写界深度は記録ビーム経路に対してのみ変化させることができる。しかし、この場合、視覚的観察と記録画像との間の同一性は排除される。これらの絞りは、画像記録の露出を制御するためにも使用することができる。このために、絞りは操作が簡単である必要がある。
【００５９】
最後の有利な実施形態によれば、３つの光学部品は、対応する必要な光学的に有効な表面を有する一体型ブロックとして具体化することができる。一体型ブロックが全体として回転する場合、回転可能なプレートはここで省略することができる。
【００６０】
この変形形態では、境界面の損失を回避することができ、位置合わせの複雑さが大幅に軽減されるという利点がある。
本発明による解決策により、随時自由に選択可能である双眼鏡接眼レンズの観察ビーム経路の放射の一部をアウトカップリングすることができる装置が提供される。双眼鏡接眼レンズを備えた光学機器の写真記録用に使用されるビーム経路は、構造上の変更を必要とせずに、自由に選択および変更することができる。
【００６１】
選択は、本解決策で実現するのに非常に簡単であり、双眼鏡接眼レンズを通して観察しながらも可能であり、そのため、操作者は両眼接眼レンズから視線をそらす必要がない。
提案された解決策は、眼科機器からの画像データをアウトカップリングするために提供されることが好ましいが、それは、観察ビーム経路のうちの１つのビーム分割が必要であり、かつアウトカップリングに使用される観察ビーム経路が可変でなければならない双眼鏡接眼レンズを有する全ての光学系に使用することができる。
【００６２】
３つの光学要素のみの本発明による配置、および光学効果のない光学要素のこのように関連する複数の使用により、非常にコンパクトな装置が可能になる。
従来技術から既知の同様の調整装置と比較して、本解決策は、実質的により小さい構造空間を必要とする。これは、例えば、スリットランプの場合のように、ユーザが器具を通過して自分の対象物を見ることができる必要があるような器具にとって特に有利である。
【００６３】
さらに、アウトカップリングに使用される観察ビーム経路の非常に簡単かつ迅速な変更が、回転調整によって可能であるということが特に有利である。
【図１】
2020535485.tif 000003
【図２】
2020535485.tif 000004
【図３】
2020535485.tif 000005
【国際調査報告】
2020535485.tif 000006
2020535485.tif 000007
2020535485.tif 000008
2020535485.tif 000009